(57)【要約】【課題】ＶＯＣ等の比重の軽重に関わらず、発生したＶＯＣ等の量を正確に測定することができるＶＯＣ放散試験装置を提供すること。【解決手段】前面に開閉自在な蓋体を有し内部に密閉構造のチャンバーが形成されたボックス状の本体ケーシングと、この本体ケーシング内に収容され、複数個の給気口と複数個の排気口とを備えた収納ケースと、前記給気口および前記排気口を閉塞するキャップと、前記排気口に挿入される試験筒とを備え、前記複数個の給気口および排気口は、前記キャップを外すことにより、任意の少なくとも１個の給気口および任意の少なくとも１個の排気口をそれぞれ開放可能に形成されたＶＯＣ放散試験装置。【選択図】  図２
2007178288.tif 000002
【特許請求の範囲】
【請求項１】
前面に開閉自在な蓋体を有し内部に密閉構造のチャンバーが形成されたボックス状の本体ケーシングと、
この本体ケーシング内に収容され、複数個の給気口と複数個の排気口とを備えた収納ケースと、
前記給気口および前記排気口を閉塞するキャップと、
前記排気口に挿入される試験筒とを備え、
前記複数個の給気口および排気口は、前記キャップを外すことにより、任意の少なくとも１個の給気口および任意の少なくとも１個の排気口をそれぞれ開放可能に形成されたことを特徴とするＶＯＣ放散試験装置。
【請求項２】
前記収納ケースは、前記給気口と前記排気口とを結ぶ空気流れ方向の内壁隅部がラウンド形状に形成されたことを特徴とする請求項１記載のＶＯＣ放散試験装置。
【請求項３】
前記収納ケース内でかつ前記複数個の給気口の近傍に、この給気口から導入された空気を前記収納ケース内に拡散するメッシュ状の拡散板がさらに配置されたことを特徴とする請求項１記載のＶＯＣ放散試験装置。
【請求項４】
前記複数個の給気口は、前記キャップを外すことにより、任意の１個の給気口を開放可能に形成されたことを特徴とする請求項１記載のＶＯＣ放散試験装置。
【請求項５】
前記複数個の排気口は、前記キャップを外すことにより、任意の１個の排気口を開放可能に形成されたことを特徴とする請求項１記載のＶＯＣ放散試験装置。
【請求項６】
前記複数個の給気口および排気口は、前記キャップを外すことにより、任意の１個の給気口および任意の１個の排気口をそれぞれ開放可能に形成されたことを特徴とする請求項１記載のＶＯＣ放散試験装置。
【発明の詳細な説明】
【技術分野】
【０００１】
本発明はＶＯＣ放散試験装置に関する。
【背景技術】
【０００２】
パソコンやテレビ等の電子機器から発生する揮発性有機化学物質（ＶＯＣ：Volatile Organic Compounds）やアルデヒド類は、シックハウス症候群等の原因物質とされて問題になっている。このため、近年、電子機器から発生するＶＯＣやアルデヒド類（以下「ＶＯＣ等」ともいう。）の量を測定することが必要になってきた。
【０００３】
電子機器から発生するＶＯＣ等の測定は、通常、ＶＯＣ放散試験装置を用いて行われる。ＶＯＣ放散試験装置は、空気の導入および排出が可能なチャンバー内部に電子機器を載置し、電子機器を静置したり電子機器を運転したりした後、チャンバー内の空気を排出し、排出された空気中のＶＯＣ等の量を測定する装置である。
【０００４】
従来、このようなＶＯＣ放散試験装置としては、下記の特許文献１に記載されたものが知られている。
【特許文献１】特開２００２−１６２３２２号公報
【発明の開示】
【発明が解決しようとする課題】
【０００５】
しかし、特許文献１に記載された部位別放散量測定器は、空気導入口が放散量測定器の下方に設けられ、かつ空気導出口が放散量測定器の頂部に設けられたものであるため、発生するＶＯＣ等の比重が空気よりも重いものである場合は、ＶＯＣ等が容器内の下部にたまって、発生したＶＯＣ等の量を正確に測定することができないという問題があった。
【０００６】
また、従来公知の他のＶＯＣ放散試験装置について、図面を参照して説明する。図７は従来のＶＯＣ放散試験装置の模式的な斜視図であり、図８は従来のＶＯＣ放散試験装置の模式的な断面図である。
【０００７】
図７および図８に示す従来のＶＯＣ放散試験装置３０は、ボックス状の本体ケーシング３２の中に収納ケース３３が配置される。収納ケース３３は、一方の側面３７Ａの下方に給気口３５が設けられると共に、他方の側面３７Ｂの下方に排気口３６が設けられ、給気口３５と排気口３６とは相対する位置に設けられている。
【０００８】
このため、収納ケース３３内に給気口３５から導入された空気は、図中矢印Ｆ５の向きに流れ、排気口３６から排出されるようになっている。なお、排気口３６には空気中のＶＯＣ等を吸着することができる吸着剤を含むカラム等の試験筒（図示せず）がセットされる。
【０００９】
収納ケース３３の天井にはファン３４と温度センサー４１とが設けられている。収納ケース３３の底部にはセッター２２が配置され、このセッター２２の上に電子機器等の測定対象物２０が載置される。
【００１０】
しかし、ＶＯＣ放散試験装置３０は、給気口３５と排気口３６とが収納ケース３３の側面下方に相対して設けられているため、発生するＶＯＣ等の比重が空気よりも軽いものである場合は、ＶＯＣ等がチャンバー内の上部にたまって、発生したＶＯＣ等の量を正確に測定することができないという問題があった。
【００１１】
本発明は、チャンバー内で電子機器等が発生するＶＯＣ等の比重の軽重に関わらず、発生したＶＯＣ等の量を正確に測定することが可能なＶＯＣ放散試験装置を提供することを目的とする。
【課題を解決するための手段】
【００１２】
本発明は、前面に開閉自在な蓋体を有し内部に密閉構造のチャンバーが形成されたボックス状の本体ケーシングと、この本体ケーシング内に収容され、複数個の給気口と複数個の排気口とを備えた収納ケースと、前記給気口および前記排気口を閉塞するキャップと、前記排気口に挿入される試験筒とを備え、前記複数個の給気口および排気口は、前記キャップを外すことにより、任意の少なくとも１個の給気口および任意の少なくとも１個の排気口をそれぞれ開放可能に形成されたことを特徴とするＶＯＣ放散試験装置である。
【発明の効果】
【００１３】
ＶＯＣ等の比重の軽重に関わらず、発生したＶＯＣ等の量を正確に測定することができる。
【発明を実施するための最良の形態】
【００１４】
本発明に係るＶＯＣ放散試験装置の実施の形態について添付図面を参照して説明する。
【００１５】
［第１の実施形態］
図１は、本発明に係るＶＯＣ放散試験装置１０を示す斜視図である。図２は、本発明に係るＶＯＣ放散試験装置１０の模式的な断面図である。
【００１６】
図１および図２に示されたＶＯＣ放散試験装置１０は断熱構造のボックス状の本体ケーシング１２を備え、本体ケーシング１２は恒温槽の機能を有するようになっている。また、本体ケーシング１２内には収納ケース１３が収容される。収納ケース１３は、ＶＯＣやアルデヒド類を放出しない材料、たとえばＳＵＳ等で構成されている。また、収納ケース１３の内壁には、たとえばＮｉめっきされたＳＵＳ等が用いられる。
【００１７】
収納ケース１３の一方の側方の壁面１７Ａには、収納ケース１３の内外に連通して収納ケース１３内に空気を導入することができる開閉自在な３個の給気口１５Ａ、１５Ｂ、１５Ｃが設けられている。給気口１５Ａ、１５Ｂ、１５Ｃは、キャップ等を嵌め込むことにより閉塞可能になっており、キャップ等を取り外すことにより任意の少なくとも１個の給気口を開放できるようになっている。図２には、給気口１５Ａ、１５Ｂにキャップ２３が取り付けられて閉じられており、給気口１５Ｃのみが開放されている様子を示す。
【００１８】
ＶＯＣ放散試験装置１０において、給気口は、図１および図２に示すように、収納ケース１３の側方の壁面１７Ａ等の一方の側面に形成されるものである。
【００１９】
収納ケース１３の頂部の壁面１７Ｂには、収納ケース１３の内外に連通して前記収納ケース１３内から空気を排出することができる開閉自在な２個の排気口１６Ａ、１６Ｂが設けられている。
【００２０】
収納ケース１３の他方の側方の壁面１７Ｃには、収納ケース１３の内外に連通して前記収納ケース１３内から空気を排出することができる開閉自在な３個の排気口１６Ｃ、１６Ｄ、１６Ｅが設けられている。
【００２１】
収納ケース１３の底部の壁面１７Ｄには、収納ケース１３の内外に連通して前記収納ケース１３内から空気を排出することができる開閉自在な３個の排気口１６Ｆ、１６Ｇ、１６Ｈが設けられている。
【００２２】
ＶＯＣ放散試験装置１０において、排気口は、図１および図２に示すように、収納ケース１３の頂部の壁面１７Ｂ、他方の側方の壁面１７Ｃ、底部の壁面１７Ｄ等の、給気口が形成されない壁面に形成されるものである。
【００２３】
排気口１６Ａ、１６Ｂ、１６Ｃ、１６Ｄ、１６Ｅ、１６Ｆ、１６Ｇ、１６Ｈは、キャップ等を嵌め込むことにより閉塞可能になっており、キャップ等を取り外すことにより任意の少なくとも１個の排気口を開放できるようになっている。図２には、排気口１６Ｂ、１６Ｄ、１６Ｅ、１６Ｆ、１６Ｇ、１６Ｈにキャップ２３が取り付けられて閉じられており、排気口１６Ｃのみが開放されている様子を示す。
【００２４】
また、排気口１６Ａ、１６Ｂ、１６Ｃ、１６Ｄ、１６Ｅ、１６Ｆ、１６Ｇ、１６Ｈは、キャップを外して開放すると、収納ケース１３内の空気中のＶＯＣおよびアルデヒド類のガスを吸着するガス吸着剤の試験筒（カラム）２４を挿入することができるようになっている。この試験筒（カラム）２４を挿入すると、ＶＯＣ放散試験装置１０は、収納ケース１３内の空気中のＶＯＣ等の濃度を測定することができるようになっている。試験筒（カラム）２４としては、公知のものを用いることができる。
【００２５】
収納ケース１３の頂部の壁面１７Ｂには、ファン１４および温度センサー２１が設けられている。なお、ＶＯＣ放散試験装置１０において、ファン１４および温度センサー２１の位置は、頂部の壁面１７Ｂ以外の場所であってもよい。
【００２６】
次に、本発明に係るＶＯＣ放散試験装置１０の作用について図１および図２を参照して説明する。
【００２７】
最初に、収納ケース１３内に配置されたセッター２２の上に電子機器等の測定対象物２０を載置する。
【００２８】
次に、測定対象物２０の形状、大きさ、ならびに発生が想定されるＶＯＣおよびアルデヒド類の比重を考慮して、給気口１５Ａ、１５Ｂ、１５Ｃのうちの任意の少なくとも１個の給気口を開放すると共に、排気口１６Ａ、１６Ｂ、１６Ｃ、１６Ｄ、１６Ｅ、１６Ｆ、１６Ｇ、１６Ｈのうちの任意の少なくとも１個の排気口を開放する。
【００２９】
図２に、給気口１５Ｃおよび排気口１６Ｃのみが開放されている様子を示す。図２に示す状態では、収納ケース１３内に空気が導入されると図２中に付した矢印Ｆ１に示すように流れる。
【００３０】
ここで、ＶＯＣとしては、たとえば、トルエン、キシレン、エチルベンゼン、スチレン、パラジクロロベンゼン等が挙げられる。また、アルデヒド類（ＶＶＯＣ：Very Volatile Organic Compoundsとも称される。）としては、たとえば、アセトアルデヒド、ホルムアルデヒド等が挙げられる。
【００３１】
次に、開放された排気口（図２の例では、排気口１６Ｃ）に、ＶＯＣおよびアルデヒド類のガスを吸着するガス吸着剤のカラム２４を挿入し、収納ケース１３の扉および本体ケーシング１２の扉をそれぞれ閉じる。なお、開放された排気口が２個以上である場合は、たとえば、それぞれの排気口にホースや管を装着して排気を１箇所に集め、この集まった排気に対してカラム２４を用いてＶＯＣおよびアルデヒド類のガスを吸着するようにすればよい。
【００３２】
この状態で、ＶＯＣ放散試験装置１０外からＶＯＣ放散試験装置１０内に図示しない空気導入手段を用いて空気を連続的に導入し、さらに、収納ケース１３内の温度、湿度等を所定条件に制御して、測定対象物２０を所定時間、処理する。
【００３３】
処理中または処理終了後に、排気口から上記ガス吸着剤のカラム２４を外し、カラム２４中のガス吸着剤に吸着されたガスを公知の方法で分析して、測定対象物２０から発生したＶＯＣおよびアルデヒド類の量を算出する。
【００３４】
第１の実施形態に示されたＶＯＣ放散試験装置１０は、開放可能な給気口および排気口をそれぞれ複数個備えるため、チャンバー内で電子機器等が発生するＶＯＣ等の比重の軽重に関わらず、発生したＶＯＣ等の量を正確に測定することが可能である。
【００３５】
なお、第１の実施形態に示されたＶＯＣ放散試験装置１０は、給気口が１５Ａ、１５Ｂ、１５Ｃの３個、排気口が１６Ａ、１６Ｂ、１６Ｃ、１６Ｄ、１６Ｅ、１６Ｆ、１６Ｇ、１６Ｈの８個となっているが、給気口および排気口はそれぞれ２個以上であればよく、給気口および排気口の個数に特に限定されるものではない。
【００３６】
［第２の実施形態］
次に、図３および図４を参照して、本発明に係るＶＯＣ放散試験装置の第２の実施形態について説明する。
【００３７】
図３は、本発明に係るＶＯＣ放散試験装置１０Ａを示す斜視図である。図４は、本発明に係るＶＯＣ放散試験装置１０Ａの模式的な断面図である。
【００３８】
第２の実施形態に示されるＶＯＣ放散試験装置１０Ａは、第１の実施形態に示されるＶＯＣ放散試験装置１０に対し、収納ケース１３を収納ケース１３Ａに代えた点でのみ相違し、他の点は同様であるため、同一部材には同一符号を付して、説明を簡略化または省略する。
【００３９】
収納ケース１３Ａは、給気口１５Ａ、１５Ｂ、１５Ｃのいずれかと排気口１６Ａ、１６Ｂ、１６Ｃ、１６Ｄ、１６Ｅ、１６Ｆ、１６Ｇ、１６Ｈのいずれかとを結ぶ空気流れ方向の収納ケース１３Ａの内壁隅部１９Ａ、１９Ｂ、１９Ｃ、１９Ｄがラウンド形状に形成されている。このため、給気口１５Ａ、１５Ｂ、１５Ｃのいずれかから導入された空気が、収納ケース１３Ａ内で滞留しにくいようになっている。
【００４０】
内壁隅部１９Ａ、１９Ｂ、１９Ｃ、１９Ｄのラウンド形状の曲率は、特に限定されないが、曲率半径は、通常３０ｍｍ以上、好ましくは５０ｍｍ以上である。ラウンド形状の曲率が大きいほど、導入された空気が収納ケース１３Ａ内で滞留しにくいため好ましい。
【００４１】
次に、本発明に係るＶＯＣ放散試験装置１０Ａの作用について図３および図４を参照して説明する。
【００４２】
なお、第２の実施形態に示されるＶＯＣ放散試験装置１０Ａは、第１の実施形態に示されるＶＯＣ放散試験装置１０に対し、収納ケース１３を収納ケース１３Ａに代えた点でのみ相違し、他の点は同様であるため、同一の作用については説明を簡略化または省略する。
【００４３】
最初に、収納ケース１３Ａ内に配置されたセッター２２の上に電子機器等の測定対象物２０を載置する。
【００４４】
次に、測定対象物２０の形状、大きさ、ならびに発生が想定されるＶＯＣおよびアルデヒド類の比重を考慮して、給気口１５Ａ、１５Ｂ、１５Ｃのうちの任意の少なくとも１個の給気口を開放すると共に、排気口１６Ａ、１６Ｂ、１６Ｃ、１６Ｄ、１６Ｅ、１６Ｆ、１６Ｇ、１６Ｈのうちの任意の少なくとも１個の排気口を開放する。
【００４５】
図４に、給気口１５Ｃおよび排気口１６Ｃのみが開放されている様子を示す。図４に示す状態では、収納ケース１３Ａ内に空気が導入されると図４中に付した矢印Ｆ２に示すように流れる。また、収納ケース１３Ａは、内壁隅部１９Ａ、１９Ｂ、１９Ｃ、１９Ｄがラウンド形状になっているため、内壁隅部１９Ａ、１９Ｂ、１９Ｃ、１９Ｄの近傍の空気が滞留せずにスムーズに排気口１６Ｃに導かれるようになっている。
【００４６】
次に、開放された排気口（図４の例では、排気口１６Ｃ）に、ＶＯＣおよびアルデヒド類のガスを吸着するガス吸着剤のカラム２４を挿入し、収納ケース１３Ａの扉および本体ケーシング１２の扉をそれぞれ閉じる。なお、開放された排気口が２個以上である場合は、たとえば、それぞれの排気口にホースや管を装着して排気を１箇所に集め、この集まった排気に対してカラム２４を用いてＶＯＣおよびアルデヒド類のガスを吸着するようにすればよい。
【００４７】
これ以後の作用は、第１の実施形態に示されるＶＯＣ放散試験装置１０の作用と同じであるため説明を省略する。
【００４８】
なお、第２の実施形態に示されたＶＯＣ放散試験装置１０Ａは、給気口が１５Ａ、１５Ｂ、１５Ｃの３個、排気口が１６Ａ、１６Ｂ、１６Ｃ、１６Ｄ、１６Ｅ、１６Ｆ、１６Ｇ、１６Ｈの８個となっているが、給気口および排気口はそれぞれ２個以上であればよく、給気口および排気口の個数に特に限定されるものではない。
【００４９】
第２の実施形態に示されたＶＯＣ放散試験装置１０Ａは、収納ケース１３Ａの内壁隅部１９Ａ、１９Ｂ、１９Ｃ、１９Ｄの近傍の空気が滞留せずにスムーズに流れるため、第１の実施形態に示されたＶＯＣ放散試験装置１０に対し、発生したＶＯＣ等の量をより正確に測定することが可能である。
【００５０】
［第３の実施形態］
次に、図５を参照して、本発明に係るＶＯＣ放散試験装置の第３の実施形態について説明する。
【００５１】
図５は、本発明に係るＶＯＣ放散試験装置１０Ｂの模式的な断面図である。
【００５２】
第３の実施形態に示されるＶＯＣ放散試験装置１０Ｂは、第１の実施形態に示されるＶＯＣ放散試験装置１０に対し、収納ケース１３内でかつ複数個の給気口１５Ａ、１５Ｂ、１５Ｃの近傍に、メッシュ状の拡散板１８がさらに配置された点でのみ相違し、他の点は同様であるため、同一部材には同一符号を付して、説明を簡略化または省略する。
【００５３】
ＶＯＣ放散試験装置１０Ｂは、収納ケース１３内でかつ複数個の給気口１５Ａ、１５Ｂ、１５Ｃの近傍に、この給気口１５Ａ、１５Ｂ、１５Ｃから導入された空気を収納ケース１３内に拡散するメッシュ状の拡散板１８がさらに配置される。
【００５４】
図６は、拡散板１８を模式的に示す斜視図である。図６に示すように、拡散板１８は、横断面が矩形の筒状体からなる枠部材２５と、枠部材２５中に形成された、矩形の板材が縦横に組み合わされて形成されたメッシュ状の拡散板本体２６とからなる。
【００５５】
拡散板１８は、ＶＯＣ放散試験装置１０Ｂの収納ケース１３内でかつ複数個の給気口１５Ａ、１５Ｂ、１５Ｃの近傍に、メッシュ状の拡散板本体２６が給気口１５Ａ、１５Ｂ、１５Ｃに対向して配置される。
【００５６】
なお、拡散板１８は、メッシュ状の拡散板本体２６が給気口１５Ａ、１５Ｂ、１５Ｃに密着せずに、拡散板本体２６と給気口１５Ａ、１５Ｂ、１５Ｃとが適度に離間していると、給気口１５Ａ、１５Ｂ、１５Ｃから導入された空気が拡散しやすいため好ましい。また、拡散板１８は、図５に示すように、１枚で給気口１５Ａ、１５Ｂ、１５Ｃ全部と対向するように配置してもよいが、拡散板１８をたとえば３枚のように複数枚設けて、給気口１５Ａ、１５Ｂ、１５Ｃのそれぞれと対向するように配置してもよい。
【００５７】
次に、本発明に係るＶＯＣ放散試験装置１０Ｂの作用について図５を参照して説明する。
【００５８】
なお、第３の実施形態に示されるＶＯＣ放散試験装置１０Ｂは、第１の実施形態に示されるＶＯＣ放散試験装置１０に対し、収納ケース１３内でかつ複数個の給気口１５Ａ、１５Ｂ、１５Ｃの近傍に、メッシュ状の拡散板１８がさらに配置された点でのみ相違し、他の点は同様であるため、同一の作用については説明を簡略化または省略する。
【００５９】
最初に、拡散板１８をメッシュ状の拡散板本体２６が給気口１５Ａ、１５Ｂ、１５Ｃに対向するように配置する。
【００６０】
次に、収納ケース１３Ａ内に配置されたセッター２２の上に電子機器等の測定対象物２０を載置する。
【００６１】
次に、測定対象物２０の形状、大きさ、ならびに発生が想定されるＶＯＣおよびアルデヒド類の比重を考慮して、給気口１５Ａ、１５Ｂ、１５Ｃのうちの任意の少なくとも１個の給気口を開放すると共に、排気口１６Ａ、１６Ｂ、１６Ｃ、１６Ｄ、１６Ｅ、１６Ｆ、１６Ｇ、１６Ｈのうちの任意の少なくとも１個の排気口を開放する。
【００６２】
図５に、給気口１５Ｃおよび排気口１６Ｃのみが開放されている様子を示す。図５に示す状態では、給気口１５Ｃから導入された空気は、拡散板１８を通過する際に図中矢印Ｆ３で示すように拡散される。収納ケース１３Ａ内に空気が導入されると図５中に付した矢印Ｆ４に示すように流れる。
【００６３】
これ以後の作用は、第１の実施形態に示されるＶＯＣ放散試験装置１０の作用と同じであるため説明を省略する。
【００６４】
なお、第３の実施形態に示されたＶＯＣ放散試験装置１０Ｂは、給気口が１５Ａ、１５Ｂ、１５Ｃの３個、排気口が１６Ａ、１６Ｂ、１６Ｃ、１６Ｄ、１６Ｅ、１６Ｆ、１６Ｇ、１６Ｈの８個となっているが、給気口および排気口はそれぞれ２個以上であればよく、給気口および排気口の個数に特に限定されるものではない。
【００６５】
第３の実施形態に示されたＶＯＣ放散試験装置１０Ｂは、収納ケース１３内でかつ複数個の給気口１５Ａ、１５Ｂ、１５Ｃの近傍に、メッシュ状の拡散板１８がさらに配置されて、収納ケース１３内に導入された空気が十分に拡散するため、第１の実施形態に示されたＶＯＣ放散試験装置１０に対し、発生したＶＯＣ等の量をより正確に測定することが可能である。
【００６６】
なお、第３の実施形態に示されたＶＯＣ放散試験装置１０Ｂで用いられる拡散板１８は、第２の実施形態に示されたＶＯＣ放散試験装置１０Ａの収納ケース１３Ａ内に配置してもよい。この実施形態は、第２の実施形態に示されたＶＯＣ放散試験装置１０Ａの備える効果と第３の実施形態に示されたＶＯＣ放散試験装置１０Ｂの備える効果とを兼ね備えるものになる。
【図面の簡単な説明】
【００６７】
【図１】本発明の第１の実施形態に示されたＶＯＣ放散試験装置の模式的な斜視図。
【図２】本発明の第１の実施形態に示されたＶＯＣ放散試験装置の模式的な断面図。
【図３】本発明の第２の実施形態に示されたＶＯＣ放散試験装置の模式的な斜視図。
【図４】本発明の第２の実施形態に示されたＶＯＣ放散試験装置の模式的な断面図。
【図５】本発明の第３の実施形態に示されたＶＯＣ放散試験装置の模式的な断面図。
【図６】拡散板を模式的に示す斜視図。
【図７】従来のＶＯＣ放散試験装置の模式的な斜視図。
【図８】従来のＶＯＣ放散試験装置の模式的な断面図。
【符号の説明】
【００６８】
１０、１０Ａ、１０Ｂ  ＶＯＣ放散試験装置
１２  ボックス状の本体ケーシング
１３、１３Ａ、１３Ｂ  収納ケース
１４  ファン
１５、１５Ａ、１５Ｂ、１５Ｃ  給気口
１６、１６Ａ、１６Ｂ、１６Ｃ、１６Ｄ、１６Ｅ、１６Ｆ、１６Ｇ、１６Ｈ  排気口
１７、１７Ａ、１７Ｂ、１７Ｃ、１７Ｄ  収納ケースの壁面
１８  拡散板
１９Ａ、１９Ｂ、１９Ｃ、１９Ｄ  ラウンド形状の収納ケース内壁角部
２０  測定対象物
２１  温度センサー
２２  セッター
２３  キャップ
２４  試験筒（カラム）
２５  枠部材
２６  拡散板本体
３０  ＶＯＣ放散試験装置
３２  ボックス状の本体ケーシング
３３  収納ケース
３４  ファン
３５  給気口
３６  排気口
３７、３７Ａ、３７Ｂ  収納ケースの壁面
４１  温度センサー
【図１】
2007178288.tif 000003
【図２】
2007178288.tif 000004
【図３】
2007178288.tif 000005
【図４】
2007178288.tif 000006
【図５】
2007178288.tif 000007
【図６】
2007178288.tif 000008
【図７】
2007178288.tif 000009
【図８】
2007178288.tif 000010